(57)【要約】  予め定められた時間間隔の理想タイミングに対して誤差を有するストローブタイミングで測定対象の特性を測定した測定結果から得られた確率密度関数を補正する補正装置であって、測定結果の累積密度関数が与えられ、累積密度関数の各ストローブタイミングの間における値を補間して、それぞれの理想タイミングにおける累積密度関数の値を算出し、理想タイミングにおける補正累積密度関数を算出する補間部と、補間部が算出した補正累積密度関数に基づいて、確率密度関数におけるストローブタイミングの誤差が補正された補正確率密度関数を生成する補正関数生成部とを備える補正装置を提供する。
2010122748.tif 000002
【特許請求の範囲】
【請求項１】
予め定められた時間間隔の理想タイミングに対して誤差を有するストローブタイミングで測定対象の特性を測定した測定結果から得られた確率密度関数を補正する補正装置であって、
測定結果の累積密度関数が与えられ、前記累積密度関数の各ストローブタイミングの間における値を補間して、それぞれの前記理想タイミングにおける前記累積密度関数の値を算出し、前記理想タイミングにおける補正累積密度関数を算出する補間部と、
前記補間部が算出した前記補正累積密度関数に基づいて、前記確率密度関数における前記ストローブタイミングの誤差が補正された補正確率密度関数を生成する補正関数生成部と
を備える補正装置。
【請求項２】
前記補正関数生成部は、隣り合う前記理想タイミングにおける、前記補正累積密度関数の値の差分に基づいて、前記補正確率密度関数を生成する
請求項１に記載の補正装置。
【請求項３】
前記確率密度関数が与えられ、それぞれの前記ストローブタイミングにおける前記確率密度関数の値を積算することで前記累積密度関数を算出し、算出した前記累積密度関数を前記補間部に与える累積密度関数算出部を更に備える
請求項１または２に記載の補正装置。
【請求項４】
前記理想タイミングは、一定の時間間隔の設定値に対して線形のタイミングであり、
前記補正装置は、前記設定値に対して非線形の前記ストローブタイミングでの測定結果の前記確率密度関数を受け取る
請求項１から３のいずれか一項に記載の補正装置。
【請求項５】
予め定められた時間間隔の理想タイミングに対して誤差を有するストローブタイミングで測定対象の特性を測定した測定結果から得られた確率密度関数を補正する補正装置であって、
前記ストローブタイミングにおける前記測定結果の累積密度関数について、前記累積密度関数の各ストローブタイミングの間における値を補間して前記理想タイミングにおける補正累積密度関数を算出し、前記補正累積密度関数に基づいて前記確率密度関数を生成した場合に得られるものと等価な補正確率密度関数を生成する補正装置。
【請求項６】
測定対象の確率密度関数を測定する確率密度関数測定装置であって、
予め定められた時間間隔の理想タイミングに対して誤差を有するストローブタイミングで前記測定対象の特性を測定し、測定結果の確率密度関数を生成するサンプリング部と、
前記測定結果の累積密度関数が与えられ、前記累積密度関数の各ストローブタイミングの間における値を補間して、それぞれの前記理想タイミングにおける前記累積密度関数の値を算出し、前記理想タイミングにおける補正累積密度関数を算出する補間部と、
前記補間部が算出した前記補正累積密度関数に基づいて、前記確率密度関数における前記ストローブタイミングの誤差が補正された補正確率密度関数を生成する補正関数生成部と
を備える確率密度関数測定装置。
【請求項７】
前記理想タイミングに対する前記ストローブタイミングの誤差を検出する誤差検出部を更に備え、
前記補間部は、前記誤差検出部が検出した誤差に更に基づいて、前記補正確率密度関数を生成する
請求項６に記載の確率密度関数測定装置。
【請求項８】
前記理想タイミングは、一定の時間間隔の設定値に対して線形のタイミングであり、
前記サンプリング部は、前記設定値に対して非線形の前記ストローブタイミングで前記測定対象を測定し、
前記誤差検出部は、前記ストローブタイミングの非線形性を検出する
請求項７に記載の確率密度関数測定装置。
【請求項９】
被測定信号のジッタ値を測定するジッタ測定装置であって、
前記被測定信号のジッタ値の確率密度関数を測定する、請求項６から８のいずれか一項に記載の確率密度関数測定装置と、
前記確率密度関数測定装置が生成した前記補正確率密度関数に基づいて、前記被測定信号のジッタ値を算出するジッタ値算出部と
を備えるジッタ測定装置。
【請求項１０】
被測定信号のジッタの測定結果から、確定成分およびランダム成分の少なくとも一方を分離するジッタ分離装置であって、
前記被測定信号のジッタ値の確率密度関数を測定する、請求項６から８のいずれか一項に記載の確率密度関数測定装置と、
前記確率密度関数測定装置が生成した前記補正確率密度関数から、前記確定成分および前記ランダム成分の少なくとも一方を分離する分離部と
を備えるジッタ分離装置。
【請求項１１】
与えられる信号に応じて動作する電子デバイスであって、
前記与えられる信号に応じた応答信号を生成する動作回路と、
前記応答信号の特性の確率密度関数を測定する、請求項６から８のいずれか一項に記載の確率密度関数測定装置と
を備える電子デバイス。
【請求項１２】
予め定められた時間間隔の理想タイミングに対して誤差を有するストローブタイミングで測定対象の特性を測定した測定結果から得られた確率密度関数を補正する補正方法であって、
前記測定結果の累積密度関数が与えられ、前記累積密度関数の各ストローブタイミングの間における値を補間して、それぞれの前記理想タイミングにおける前記累積密度関数の値を算出し、前記理想タイミングにおける補正累積密度関数を算出する補間段階と、
前記補間段階で算出した前記補正累積密度関数に基づいて、前記確率密度関数における前記ストローブタイミングの誤差が補正された補正確率密度関数を生成する補正関数生成段階と
を備える補正方法。
【請求項１３】
コンピュータを、請求項１から５のいずれか一項に記載の前記補正装置として機能させるプログラム。
【請求項１４】
請求項１３に記載のプログラムを記録した記録媒体。
【発明の詳細な説明】
【技術分野】
【０００１】
本発明は、補正装置、確率密度関数測定装置、ジッタ測定装置、ジッタ分離装置、電子デバイス、補正方法、プログラム、および、記録媒体に関する。
【背景技術】
【０００２】
信号に含まれるジッタの測定法として、確率密度関数（ヒストグラム）を用いた統計解析による方法が知られている。例えば、測定装置は、被測定信号の遷移エッジタイミングの確率密度関数（probability density function, PDF）を用いることにより、ジッタの推定値を算出することができる。なお、現時点で先行技術文献の存在を認識していないので、先行技術文献に関する記載を省略する。
【発明の概要】
【発明が解決しようとする課題】
【０００３】
ジッタの推定値を算出する測定装置は、予め定められたストローブ信号により指定されるタイミングにおいて、被測定信号の論理値を期待値と比較する。測定装置は、当該比較結果を誤り計数器で計数することにより、被測定信号の遷移エッジタイミングの確率密度関数を算出する。測定装置は、求めた確率密度関数から、ジッタの分布パラメータ（例えば、実効値、あるいは、ｐ−ｐ値）を取得する。さらに、測定装置は、当該確率密度関数を２つのガウス関数を用いて曲線適合することにより、ランダムジッタの推定値および確定ジッタの推定値を算出することもできる。【０００４】
ところが、ストローブ信号の発生タイミングを生成する可変遅延回路、および、可変遅延回路を制御するアナログ／デジタルコンバータは、非線形性を有する。従って、ストローブ信号の発生タイミングは、理想タイミングと異なり、非線形性を有するタイミングとなる。非線形性を有するタイミングで発生するストローブ信号を用いて被測定信号の遷移エッジタイミングを測定し、確率密度関数を生成すると、当該確率密度関数には測定誤差が含まれる。その結果、当該確率密度関数に基づいて求めたジッタの分布パラメータ、あるいは、ランダムジッタおよび確定ジッタの推定値に誤差が生じるという問題が生じている。【０００５】
そこで本発明の１つの側面においては、上記の課題を解決することのできる補正装置、確率密度関数測定装置、ジッタ測定装置、ジッタ分離装置、電子デバイス、補正方法、プログラム、および、記録媒体を提供することを目的とする。この目的は請求の範囲における独立項に記載の特徴の組み合わせにより達成される。また従属項は本発明の更なる有利な具体例を規定する。
【課題を解決するための手段】
【０００６】
本発明の第１の態様によると、予め定められた時間間隔の理想タイミングに対して誤差を有するストローブタイミングで測定対象の特性を測定した測定結果から得られた確率密度関数を補正する補正装置であって、測定結果の累積密度関数が与えられ、累積密度関数の各ストローブタイミングの間における値を補間して、それぞれの理想タイミングにおける累積密度関数の値を算出し、理想タイミングにおける補正累積密度関数を算出する補間部と、補間部が算出した補正累積密度関数に基づいて、確率密度関数におけるストローブタイミングの誤差が補正された補正確率密度関数を生成する補正関数生成部とを備える補正装置を提供する。【０００７】
本発明の第２の態様によると、補正関数生成部は、隣り合う理想タイミングにおける、補正累積密度関数の値の差分に基づいて、補正確率密度関数を生成する補正装置を提供する。【０００８】
本発明の第３の態様によると、確率密度関数が与えられ、それぞれのストローブタイミングにおける確率密度関数の値を積算することで累積密度関数を算出し、算出した累積密度関数を補間部に与える累積密度関数算出部を更に備える補正装置を提供する。【０００９】
本発明の第４の態様によると、理想タイミングは、測定対象に対する相対位相が線形に変化するタイミングであり、補正装置は、測定対象に対する相対位相が非線形に変化するストローブタイミングでの測定結果の確率密度関数を受け取る補正装置を提供する。【００１０】
本発明の第５の態様によると、予め定められた時間間隔の理想タイミングに対して誤差を有するストローブタイミングで測定対象の特性を測定した測定結果から得られた確率密度関数を補正する補正装置であって、ストローブタイミングにおける測定結果の累積密度関数について、累積密度関数の各ストローブタイミングの間における値を補間して理想タイミングにおける補正累積密度関数を算出し、補正累積密度関数に基づいて確率密度関数を生成した場合に得られるものと等価な補正確率密度関数を生成する補正装置を提供する。【００１１】
本発明の第６の態様によると、測定対象の確率密度関数を測定する確率密度関数測定装置であって、予め定められた時間間隔の理想タイミングに対して誤差を有するストローブタイミングで測定対象の特性を測定し、測定結果の確率密度関数を生成するサンプリング部と、測定結果の累積密度関数が与えられ、累積密度関数の各ストローブタイミングの間における値を補間して、それぞれの理想タイミングにおける累積密度関数の値を算出し、理想タイミングにおける補正累積密度関数を算出する補間部と、補間部が算出した補正累積密度関数に基づいて、確率密度関数におけるストローブタイミングの誤差が補正された補正確率密度関数を生成する補正関数生成部とを備える確率密度関数測定装置を提供する。【００１２】
本発明の第７の態様によると、理想タイミングに対するストローブタイミングの誤差を検出する誤差検出部を更に備え、補間部は、誤差検出部が検出した誤差に更に基づいて、補正確率密度関数を生成する確率密度関数測定装置を提供する。【００１３】
本発明の第８の態様によると、理想タイミングは、測定対象に対する相対位相が線形に変化するタイミングであり、サンプリング部は、測定対象に対する相対位相が非線形に変化するストローブタイミングで測定対象を測定し、誤差検出部は、ストローブタイミングの非線形性を検出する確率密度関数測定装置を提供する。【００１４】
本発明の第９の態様によると、被測定信号のジッタ値を測定するジッタ測定装置であって、被測定信号のジッタ値の確率密度関数を測定する、請求項６に記載の確率密度関数測定装置と、確率密度関数測定装置が測定した確率密度関数に基づいて、被測定信号のジッタ値を算出するジッタ値算出部とを備えるジッタ測定装置を提供する。【００１５】
本発明の第１０の態様によると、被測定信号のジッタの測定結果から、確定成分およびランダム成分の少なくとも一方を分離するジッタ分離装置であって、被測定信号のジッタ値の確率密度関数を測定する確率密度関数測定装置と、確率密度関数測定装置が測定した確率密度関数から、確定成分およびランダム成分の少なくとも一方を分離する分離部とを備えるジッタ分離装置を提供する。【００１６】
本発明の第１１の態様によると、与えられる信号に応じて動作する電子デバイスであって、与えられる信号に応じた応答信号を生成する動作回路と、応答信号の特性の確率密度関数を測定する確率密度関数測定装置とを備える電子デバイスを提供する。【００１７】
本発明の第１２の態様によると、予め定められた時間間隔の理想タイミングに対して誤差を有するストローブタイミングで測定対象の特性を測定した測定結果から得られた確率密度関数を補正する補正方法であって、測定結果の累積密度関数が与えられ、累積密度関数の各ストローブタイミングの間における値を補間して、それぞれの理想タイミングにおける累積密度関数の値を算出し、理想タイミングにおける補正累積密度関数を算出する補間段階と、補間段階で算出した補正累積密度関数に基づいて、確率密度関数におけるストローブタイミングの誤差が補正された補正確率密度関数を生成する補正関数生成段階とを備える補正方法を提供する。【００１８】
本発明の第１３の態様によると、コンピュータを補正装置として機能させるプログラムを記録した記録媒体を提供する。【００１９】
なお、上記の発明の概要は、本発明の必要な特徴の全てを列挙したものではなく、これらの特徴群のサブコンビネーションもまた、発明となりうる。
【図面の簡単な説明】
【００２０】
【図１】補正装置１００の構成を示す。
【図２】非線形なストローブタイミングで被測定信号を測定した場合の確率密度関数の一例を示す。
【図３】図２に示す確率密度関数から生成した累積密度関数を示す。
【図４】補正関数生成部３０が生成した補正確率密度関数の一例を示す。
【図５】補正装置１００の他の構成を示す。
【図６】確率密度関数測定装置２００の構成を示す。
【図７】ジッタ測定装置３００の構成を示す。
【図８】ジッタ分離装置４００の構成を示す。
【図９】電子デバイス５００の構成を示す。
【図１０】補正装置１００として機能するコンピュータ１９００の構成を示す。
【図１１】補正装置１００として機能するコンピュータ１９００の動作フローチャートを示す。
【発明を実施するための形態】
【００２１】
以下、発明の実施の形態を通じて本発明の（一）側面を説明するが、以下の実施形態は請求の範囲にかかる発明を限定するものではなく、また実施形態の中で説明されている特徴の組み合わせの全てが発明の解決手段に必須であるとは限らない。
【００２２】
図１は、補正装置１００の構成を示す。補正装置１００は、予め定められたストローブタイミングで測定対象の特性を測定した結果から得られた、確率密度関数を補正する。補正装置１００が確率密度関数を補正する対象とする特性値は、被測定信号の論理値が遷移するタイミングの変動値（以下、ジッタと称する）であってよく、被測定信号の電圧値または電流値であってもよい。なお、補正装置１００が測定する対象は、電気信号であってよく、光信号、磁気信号などの信号であってもよい。
【００２３】
確率密度関数は、測定対象の特性値を複数回測定して取得したヒストグラムである。例えば、確率密度関数は、隣接するストローブタイミング間において、測定対象信号の論理値が遷移する回数のヒストグラムであってよい。
【００２４】
測定対象の特性の測定に用いる予め定められたストローブタイミングは、一定の時間間隔で発生する理想タイミングに対して、誤差を有する場合がある。ストローブタイミングを生成する可変遅延回路、および、可変遅延回路を制御するアナログ／デジタルコンバータは、設定値に対して非線形特性を有する。可変遅延回路が、理想タイミングのストローブ信号を生成するべく設定値を設定された場合であっても、当該非線形性の影響により、ストローブ信号は、理想タイミングと異なるタイミングで発生される場合がある。つまり、ストローブ信号の発生タイミングが、設定値に対して非線形に変化する場合が生じる。
【００２５】
ストローブタイミングが設定値に対して非線形に変化する場合には、隣接するストローブタイミングの間隔が一定値にならない。例えば、ジッタを測定する装置は、被測定信号の論理値が、被測定信号に対する相対位相が異なる隣接するストローブ信号間で変化する回数を測定する。予め定められた間隔よりも広いストローブタイミング間に含まれる遷移回数は、ストローブタイミングが等間隔である場合のストローブタイミング間に含まれる遷移回数よりも多くなる。また、予め定められた間隔よりも狭いストローブタイミング間に含まれる遷移回数は、ストローブタイミングが等間隔である場合のストローブタイミング間に含まれる遷移回数よりも少なくなる。
【００２６】
設定値に対して非線形のストローブタイミングで測定された結果の確率密度関数には凹凸が生じる。その結果、当該確率密度関数を用いた解析結果に誤差が生じる。例えば、当該確率密度関数が、ジッタ確率密度関数である場合には、当該確率密度関数を用いて算出するジッタの分布パラメータ、および、ジッタ種別の分離結果等に誤差が生じる。
【００２７】
図２は、非線形なストローブタイミングで被測定信号を測定した場合の確率密度関数の一例を示す。当該被測定信号は、線形なストローブタイミングで測定されると、確率密度関数がガウス分布になる信号である。図２の横軸は、ストローブタイミングを示す。本実施形態において、当該ストローブタイミングは、約１０ｐｓごとに発生している。ストローブタイミングが０になるタイミングは、被測定信号の論理値が遷移するタイミングの設計値に相当する。ストローブタイミングの値が正の方向に大きくなると、ストローブタイミング０に対して、タイミングが遅くなる。これに対して、ストローブタイミングが負の方向に大きくなると、ストローブタイミング０に対して、タイミングが早くなる。
【００２８】
ここで、ストローブタイミング０に対してｍ番目（ｍは整数）のストローブタイミングをストローブタイミング番号ｍと定義する。各ストローブタイミングの発生タイミングは、隣接するストローブタイミング間隔にストローブタイミング番号ｍを乗算した値を、ストローブタイミング０のタイミングに加算した値に略等しい。例えば、隣接するストローブタイミングの間隔が約１０ｐｓである場合、ストローブタイミング番号１５のタイミングは、ストローブタイミング０のタイミングに対して１５０ｐｓ後となる。
【００２９】
図２の縦軸は、各ストローブタイミングにおけるサンプル数を示す。ストローブタイミングｍにおけるサンプル数は、直前のストローブタイミング番号ｍ−１における論理値に比して、ストローブタイミング番号ｍにおける被測定信号の論理値が遷移したサンプルの数である。図２に示す例においては、測定に用いられたストローブ信号の間隔が一定でないので、ストローブタイミングごとにサンプル数が変動している。その結果、確率密度関数には、凹凸が生じている。当該確率密度関数のそれぞれのストローブタイミングにおけるサンプル数を累積して、累積密度関数を生成すると、ストローブタイミングごとのサンプル数の増減の影響により、当該累積密度関数も滑らかな曲線にならない。
【００３０】
図３は、図２に示す確率密度関数から生成した累積密度関数を示す。図３の横軸は、ストローブタイミングを示す。図３の縦軸は、累積サンプル数を示す。ストローブタイミング番号ｍにおける累積サンプル数は、隣接するストローブタイミング番号ｍ−１における累積サンプル数に、ストローブタイミング番号ｍにおけるサンプル数を加算した数である。
【００３１】
図３においては、ストローブタイミング間隔が均一でないことに起因して、各ストローブタイミングにおける累積サンプル数が、理想タイミングで測定した場合の累積サンプル数と異なる。例えば、図３の拡大図中のＡ、Ｂ、Ｃ、Ｄは、それぞれストローブタイミング番号５、６、７、８に対応し、それぞれの理想タイミングは、５０ｐｓ、６０ｐｓ、７０ｐｓ、８０ｐｓである。ところが、図３におけるＡ、Ｂ、Ｃ、Ｄは、それぞれ５０ｐｓ、６２ｐｓ、６８ｐｓ、８０ｐｓのストローブタイミングで測定した累積サンプル数を示している。従って、ＢおよびＣの間の累積サンプル数は、理想タイミングで測定した場合の累積サンプル数を示す実線から乖離している。理想タイミングで測定した場合の累積密度関数と乖離する累積密度関数を用いて被測定信号を解析すると、解析結果に誤差が生じる。
【００３２】
そこで、補正装置１００は、補間部２０および補正関数生成部３０を備え、累積密度関数を補間する。補間部２０には、測定結果の累積密度関数が与えられる。補正装置１００は、外部から累積密度関数を与えられてよい。また、補正装置１００は、外部から与えられる確率密度関数を用いて、補正装置１００の内部で累積密度関数を生成してもよい。
【００３３】
補間部２０は、累積密度関数の各ストローブタイミングの間における値を補間して、それぞれの理想タイミングにおける累積密度関数の値を算出し、理想タイミングにおける補正累積密度関数を算出する。つまり、補間部２０は、非線形なストローブタイミングで測定した累積密度関数に補間法を適用することにより、等しい間隔を持つストローブタイミングにおける補正累積密度関数を算出する。例えば、補間部２０は、ストローブタイミング６０ｐｓおよび７０ｐｓにおける補正累積密度関数の値を算出することにより、ストローブタイミングが６２ｐｓ、６８ｐｓであったＢおよびＣにおける累積密度関数の値を補正できる。その結果、補間部２０は、図３の実線に示す補正累積密度関数を算出することができる。
【００３４】
補正関数生成部３０は、補間部２０が算出した補正累積密度関数に基づいて、確率密度関数におけるストローブタイミングの誤差が補正された補正確率密度関数を生成する。例えば、補正関数生成部３０は、隣り合う理想タイミングにおける、補正累積密度関数の値の差分に基づいて、補正確率密度関数を生成してよい。
【００３５】
具体的には、理想タイミングを有するストローブタイミング番号をｎとすると、補正関数生成部３０は、ストローブタイミング番号ｎ（ｎは整数）における補正累積密度関数値と、ストローブタイミング番号ｎ−１における補正累積密度関数値との差分値を、ストローブタイミング番号ｎにおける補正確率密度関数値としてヒストグラムを生成してよい。補正関数生成部３０は、ストローブタイミング番号ｎにおける補正累積密度関数値と、ストローブタイミング番号ｎ＋１における補正累積密度関数値との差分値を、ストローブタイミング番号ｎにおける補正確率密度関数値としてヒストグラムを生成してもよい。
【００３６】
補正装置１００は、凹凸を有する確率密度関数の各ストローブタイミングの間における値を補間する場合に比べて、凹凸を有しない累積密度関数の各ストローブタイミングの間における値を補間する場合の方が、精度の高い補間をすることができる。その結果、補正累積密度関数に基づいて生成した補正確率密度関数は、測定結果に基づく確率密度関数を補間して得られる確率密度関数に比べて、小さな誤差を有する。
【００３７】
図４は、補正関数生成部３０が生成した補正確率密度関数の一例を示す。図４に示す補正確率密度関数は、図３に示す累積密度関数の隣接するストローブタイミングの間における値を補間した補正累積密度関数を確率密度関数に変換することにより得られる。図２に示す確率密度関数に生じていた凹凸が、図４に示す補正確率密度関数においては除去されていることがわかる。
【００３８】
補間は、関数ｙ＝ｆ（ｘ）の値が、変数ｘの不連続な値ｘ１、ｘ２、・・・、ｘｎに対して与えられている場合に、ｘｋ（ｋ＝１、２、・・・、ｎ）以外のｘの値に対するｆ（ｘ）の値を推測することにより行われる。補間部２０は、補間法として、線形補間法（linear interpolation）、多項式補間法（polynomial interpolation）、または、３次スプライン補間法（cubic spline interpolation）のいずれの方法を用いてもよい。
【００３９】
例えば、多項式補間法を用いる場合、補間部２０は、以下の手順によって補間する。平面上の２点（ｘ１、ｙ１）および（ｘ２、ｙ２）が与えられたときに、その２点を通る直線ｙ＝Ｐ１（ｘ）は、
【数１】
2010122748.tif 000003
で与えられ、一意的に決められる。この場合、直線を用いて補間するので、当該補間法は線形補間法とも称される。
【００４０】
一般に、平面上のＮ点（ｘ１、ｙ１）、（ｘ２、ｙ２）、・・・、（ｘＮ、ｙＮ）を通るＮ−１次曲線ｙ＝ＰＮ−１（ｘ）は一意的に決まり、ラグランジェの公式により、
【数２】
2010122748.tif 000004
で与えられる。補間部２０は、当該補間法により、それぞれの理想タイミングにおける累積密度関数の値を算出することができる。なお、多項式補間法については、例えば、L.W.Johnson and R.D.Riess, Numerical Analysis, Massachusetts: Addison-Wesley, Section 5.2, 1982に記載されている。
【００４１】
また、補間部２０は、以下の３次スプライン補間法によって補間してもよい。スプライン曲線は、予め定められた点を通過すると共に、曲率の２乗積分が最小になる曲線である。平面上の２点（ｘ１、ｙ１）および（ｘ２、ｙ２）が与えられたときに、その２点を通るスプライン曲線は、
【数３】
2010122748.tif 000005
で与えられる。ここで、ｙ１"およびｙ２"は、それぞれ（ｘ１、ｙ１）および（ｘ２、ｙ２）における関数ｙ＝ｆ（ｘ）の２次微分値である。３次スプライン補間は、２個の測定点とその測定点における２次微分値から上記の式を用いて、希望のｘに対するｙ＝ｆ（ｘ）の値を推定する。補間部２０は、補間曲線の近似誤差を小さくするべく、ｘに近い２点を選択することが望ましい。
【００４２】
以上説明したように、本実施形態に係る補正装置１００は、入力される累積密度関数のストローブタイミングの間の値を補間して生成した補正累積密度関数に基づいて、凹凸のない補正確率密度関数を生成する。当該補正確率密度関数を用いて被測定信号を解析することにより、被測定信号の解析精度が向上する。
【００４３】
図５は、補正装置１００の他の構成を示す。補正装置１００は、図１の補正装置１００に対して、さらに累積密度関数算出部４０を備える。累積密度関数算出部４０は、測定結果に基づく確率密度関数が与えられた場合に、それぞれのストローブタイミングにおける確率密度関数の値を積算する。また、累積密度関数算出部４０は、積算した確率密度関数に基づいて累積密度関数を算出し、算出した累積密度関数を補間部２０に与える。累積密度関数算出部４０は、測定対象に対する相対位相が非線形に変化するストローブタイミングでの測定結果の確率密度関数を受け取ってよい。
【００４４】
具体的には、累積密度関数算出部４０は、ストローブタイミング番号ｎ−１以下における積算値に、ストローブタイミング番号ｎにおけるサンプル数を加算することにより、ストローブタイミング番号ｎ（ｎは整数）における積算値を算出する。例えば、図３に示す累積密度関数のストローブタイミング番号０における積算値は、図２に示す確率密度関数におけるストローブタイミング番号−１以下における総サンプル数に、ストローブタイミング番号０におけるサンプル数を加算した値であってよい。累積密度関数算出部４０は、ストローブタイミング番号−５０からストローブタイミング番号＋５０まで、当該加算を繰り返すことにより、図２に示す確率密度関数に対して図３に示す累積密度関数を生成する。積算の開始タイミングは当該タイミング以下におけるサンプル数がゼロとなるタイミングであってよく、また、積算の停止タイミングは当該タイミング以上におけるサンプル数がゼロとなるタイミングであってよい。
【００４５】
累積密度関数算出部４０は、ストローブタイミング番号ｎにおける積算値を算出する場合に、ストローブタイミング番号ｎ＋１以上における積算値に、ストローブタイミング番号ｎにおけるサンプル数を加算してもよい。例えば、累積密度関数算出部４０は、ストローブタイミング番号１以上における積算値にストローブタイミング番号０のサンプル数を加算することにより、ストローブタイミング番号０における積算値を算出してもよい。
【００４６】
また、累積密度関数算出部４０は、ストローブタイミング番号ｎにおける積算値とストローブタイミング番号ｎ−１における積算値との差が予め定められた値以下になるまで、ストローブタイミングにおいて積算値を算出してよい。例えば、図２においては、ストローブタイミングが３００ｐｓ以上の場合には、サンプル数が略零となっている。従って、ストローブタイミング番号が３０以上である場合、ストローブタイミング番号ｎにおける積算値と、ストローブタイミングｎ−１番号における積算値とが略等しくなる。そこで、累積密度関数算出部４０は、ストローブタイミングが３００ｐｓ未満のストローブタイミングにおいて積算値を算出し、３００ｐｓ以上のストローブタイミングにおいては積算値の算出を停止してもよい。
【００４７】
補正装置１００は、ストローブタイミングにおける測定結果の累積密度関数について、累積密度関数の各ストローブタイミングの間における値を補間して理想タイミングにおける補正累積密度関数を算出し、補正累積密度関数に基づいて確率密度関数を生成した場合に得られるものと、等価な補正確率密度関数を生成してもよい。具体的には、補正装置１００は、累積密度関数算出部４０を有しないで、補間部２０において、補正累積密度関数を算出することなく補正確率密度関数を生成してよい。例えば、補正装置１００は、測定結果の累積密度関数におけるストローブタイミングの積算値を、予め定められた演算式に代入することにより、補正確率密度関数を生成してよい。補正装置１００は、当該演算式を、不揮発性メモリ等の情報記憶媒体に格納してよい。
【００４８】
図６は、確率密度関数測定装置２００の構成を示す。確率密度関数測定装置２００は、測定対象の確率密度関数を測定する。確率密度関数測定装置２００は、補間部２０、補正関数生成部３０、サンプリング部５０、および、誤差検出部６０を有する。
【００４９】
サンプリング部５０は、予め定められた時間間隔の理想タイミングに対して誤差を有するストローブタイミングで測定対象の特性を測定し、測定結果の累積密度関数を生成する。例えば、サンプリング部５０は、測定対象に対する相対位相が非線形に変化するストローブタイミングで測定対象を測定する。また、サンプリング部５０は、測定結果の累積密度関数に基づいて、確率密度関数を生成してもよい。
【００５０】
補間部２０は、測定結果の累積密度関数を取得する。補間部２０は、累積密度関数の各ストローブタイミングの間における値を補間して、それぞれの理想タイミングにおける累積密度関数の値を算出し、理想タイミングにおける補正累積密度関数を算出する。補正関数生成部３０は、補間部２０が算出した補正累積密度関数に基づいて、確率密度関数におけるストローブタイミングの誤差が補正された補正確率密度関数を生成する。
【００５１】
サンプリング部５０に入力されるストローブ信号は、例えば、基準信号を可変遅延回路等で遅延させることにより生成される。基準信号に対する遅延時間の設定値は、ストローブタイミングの理想タイミングに対応する値に設定されてよい。なお、理想タイミングは、測定対象に対する相対位相が線形に変化するタイミングである。
【００５２】
ところが、可変遅延回路、および、可変遅延回路を制御するアナログ／デジタルコンバータは、設定値に対して非線形性を有する。その結果、可変遅延回路が出力するストローブ信号の基準信号に対する遅延時間との間には誤差が生じる。具体的には、遅延時間が予め定められた時間間隔で設定されているにもかかわらず、可変遅延回路が出力する信号は、設定された理想タイミングの時間間隔と異なる時間間隔で生成される場合が生じる。
【００５３】
そこで、誤差検出部６０は、理想タイミングに対するストローブタイミングの誤差を検出する。誤差検出部６０は、理想タイミングの時間間隔で発生するタイミング信号を外部から取得してよい。誤差検出部６０は、当該理想のタイミングと、サンプリング部５０に入力されるストローブ信号の発生タイミングとを比較した上で、ストローブタイミングの誤差を算出してよい。
【００５４】
また、誤差検出部６０は、ストローブタイミングの非線形性を検出してもよい。具体的には、誤差検出部６０は、以下の手順によりストローブタイミングの非線形性を検出してよい。
【００５５】
まず、誤差検出部６０は、可変遅延回路に初期値を設定して、ストローブ信号を生成する。次に、誤差検出部６０は、可変遅延回路が出力するストローブ信号により、予め定められた測定データを複数回サンプリングする。誤差検出部６０は、サンプリング値を予め定めた期待値と比較することにより、ビット誤り率を測定する。
【００５６】
誤差検出部６０は、測定データの位相を、外部から入力される高精度のクロックに同期して順次シフトする。誤差検出部６０は、それぞれの位相におけるビット誤り率を測定した上で、ビット誤り率が予め定められた値になる場合の、位相シフト量を検出する。誤差検出部６０は、ビット誤り率が０．５になる位相シフト量を検出することにより、ストローブ信号のタイミングが測定データの遷移タイミングに略一致する位相を検出してよい。
【００５７】
続いて、誤差検出部６０は、可変遅延回路の設定値を変化させる。誤差検出部６０は、設定値を変化させた可変遅延回路が出力するストローブ信号により測定データをサンプリングして、ビット誤り率を測定する。誤差検出部６０は、ビット誤り率が予め定められた値になる場合の、測定データの位相シフト量を検出する。
【００５８】
誤差検出部６０は、可変遅延回路の設定値を順次変化させ、それぞれの設定値において、ビット誤り率が予め定められた値になる場合の測定データの位相シフト量を検出する。誤差検出部６０は、可変遅延回路の設定値を線形に変化させた場合に、検出した位相シフト量も線形に変化する場合には、ストローブタイミングが線形であると判定してよい。誤差検出部６０は、可変遅延回路の設定値を線形に変化させたにもかかわらず、検出した位相シフト量が非線形に変化する場合には、ストローブタイミングが非線形性を有すると判定してよい。
【００５９】
例えば、誤差検出部６０は、可変遅延回路の設定値を順次０ｐｓ、５０ｐｓ、１００ｐｓと設定する。誤差検出部６０は、それぞれの設定値においてビット誤り率が予め定められた値になる場合の測定データの位相シフト量が０ｐｓ、５０ｐｓ、１００ｐｓである場合には、ストローブタイミングは線形であると判定する。これに対して、誤差検出部６０は、それぞれの設定値における測定データの位相シフト量が０ｐｓ、５１ｐｓ、１０３ｐｓである場合には、ストローブタイミングが非線形であると判定する。
【００６０】
図７は、ジッタ測定装置３００の構成を示す。ジッタ測定装置３００は、被測定信号のジッタ値を測定する。ジッタ測定装置３００は、図６に示した確率密度関数測定装置２００と、ジッタ値算出部７０とを備える。
【００６１】
ジッタ値算出部７０は、確率密度関数測定装置２００が生成した補正確率密度関数に基づいて、被測定信号のジッタ値を算出する。ジッタ測定装置３００は、補正確率密度関数の実効値（ＲＭＳ値）をジッタ値として算出してよい。また、ジッタ測定装置３００は、補正確率密度関数がゼロでない最大のストローブタイミングと補正確率密度関数がゼロでない最小ストローブタイミングとの差分値（ｐ−ｐ値）をジッタ値として算出してもよい。
【００６２】
以上の通り、本実施形態に係るジッタ測定装置３００は、確率密度関数測定装置２００が生成した補正確率密度関数に基づいて、ジッタ値を測定する。補正確率密度関数は高い精度を有するので、補正確率密度関数に基づいて測定したジッタ値の精度も高くなる。
【００６３】
図８は、ジッタ分離装置４００の構成を示す。論理値が予め定められたタイミングで遷移する信号は、確定成分およびランダム成分を含むジッタを有する。確定ジッタは、データ依存ジッタ、デューティサイクル歪み、有界無相関ジッタ、または、サイン波ジッタ等である。ランダムジッタは、不規則雑音により注入されるタイミングエッジの揺らぎである。
【００６４】
ジッタ分離装置４００は、被測定信号のジッタの測定結果から、確定成分およびランダム成分の少なくとも一方を分離する。ジッタ分離装置４００は、図６に示した確率密度関数測定装置２００と、分離部８０とを備える。確率密度関数測定装置２００は、被測定信号のジッタの確率密度関数を測定する。
【００６５】
分離部８０は、確率密度関数測定装置２００が測定した確率密度関数から、確定成分およびランダム成分の少なくとも一方を分離する。分離部８０は、一例として、確率密度関数の前縁および後縁をガウス分布でフィッティングすることにより、ジッタのランダム成分を抽出してよい。分離部８０は、確率密度関数測定装置２００が測定した確率から抽出したランダム成分を除去することにより、ジッタの確定成分を抽出してよい。
【００６６】
また、分離部８０は、確率密度関数をフーリエ変換した上で、フーリエ変換後のスペクトルにおける第１ナル周波数から確定成分を求めてもよい。第１ナル周波数とは、スペクトルのパワーが略零となる周波数（または、スペクトルが極小値を示す周波数）のうち、最も低い周波数を指す。
【００６７】
分離部８０は、第１ナル周波数に基づいて、確定成分のスペクトルの理論値を算出する。分離部８０は、算出した理論値を、予め定められた複数種類の確定成分のモデルと比較することにより、確率密度関数に対応するジッタが含む確定成分の種類を特定してよい。確定成分の理論値は、確定成分のモデルおよびｐ−ｐ値により定めることができる。当該確定成分のモデルとは、例えばサイン波分布のモデル、一様分布のモデル、台形分布のモデル、デュアルディラックのモデル等であってよい。
【００６８】
以上の通り、本実施形態に係るジッタ分離装置４００は、確率密度関数測定装置２００が測定した確率密度関数に基づいて、ジッタのランダム成分および確定成分を分離する。確率密度関数測定装置２００が測定した確率密度関数は、高い精度を有する。従って、ジッタ分離装置４００は、高い精度でランダム成分および確定成分を分離することができる。
【００６９】
図９は、電子デバイス５００の構成を示す。電子デバイス５００は、与えられる信号に応じて動作する。電子デバイス５００は、動作回路９０および確率密度関数測定装置２００を備える。動作回路９０は、与えられる信号に応じた応答信号を生成する。確率密度関数測定装置２００は、応答信号の特性の確率密度関数を測定する。
【００７０】
具体的には、動作回路９０は、与えられる信号に応じて、予め定められたパターンを有する応答信号を生成する。動作回路９０は、確率密度関数測定装置２００が生成した補正確率密度関数を取得して、当該補正確率密度関数を、あらかじめ記憶した確率密度関数のモデルと比較する。動作回路９０は、当該比較結果に応じて、与えられる信号の特性の評価をしてよい。
【００７１】
例えば、動作回路９０は、確率密度関数測定装置２００が生成した確率密度関数が、あらかじめ記憶した確率密度関数のモデルに対して予め定められた範囲内の差を有する場合には、与えられる信号の特性を「良」と判断してよい。動作回路９０は、確率密度関数測定装置２００が生成した確率密度関数が、あらかじめ記憶した確率密度関数のモデルに対して予め定められた範囲外の差を有する場合には、与えられる信号の特性を「否」と判断して、その旨を外部に通知してよい。
【００７２】
図１０は、補正装置１００として機能するコンピュータ１９００の構成を示す。図１１は、補正装置１００として機能するコンピュータ１９００の動作フローチャートを示す。本実施形態に係るコンピュータ１９００は、ホスト・コントローラ２０８２により相互に接続されるＣＰＵ２０００、ＲＡＭ２０２０、グラフィック・コントローラ２０７５、及び表示装置２０８０を有するＣＰＵ周辺部と、入出力コントローラ２０８４によりホスト・コントローラ２０８２に接続される通信インターフェイス２０３０、ハードディスクドライブ２０４０、及びＣＤ−ＲＯＭドライブ２０６０を有する入出力部と、入出力コントローラ２０８４に接続されるＲＯＭ２０１０、フレキシブルディスク・ドライブ２０５０、及び入出力チップ２０７０を有するレガシー入出力部とを備える。
【００７３】
ホスト・コントローラ２０８２は、ＲＡＭ２０２０と、高い転送レートでＲＡＭ２０２０をアクセスするＣＰＵ２０００及びグラフィック・コントローラ２０７５とを接続する。ＣＰＵ２０００は、ＲＯＭ２０１０及びＲＡＭ２０２０に格納されたプログラムに基づいて動作し、各部の制御を行う。グラフィック・コントローラ２０７５は、ＣＰＵ２０００等がＲＡＭ２０２０内に設けたフレーム・バッファ上に生成する画像データを取得し、表示装置２０８０上に表示させる。これに代えて、グラフィック・コントローラ２０７５は、ＣＰＵ２０００等が生成する画像データを格納するフレーム・バッファを、内部に含んでもよい。
【００７４】
入出力コントローラ２０８４は、ホスト・コントローラ２０８２と、比較的高速な入出力装置である通信インターフェイス２０３０、ハードディスクドライブ２０４０、ＣＤ−ＲＯＭドライブ２０６０を接続する。通信インターフェイス２０３０は、ネットワークを介して他の装置と通信する。ハードディスクドライブ２０４０は、コンピュータ１９００内のＣＰＵ２０００が使用するプログラム及びデータを格納する。ＣＤ−ＲＯＭドライブ２０６０は、ＣＤ−ＲＯＭ２０９５からプログラム又はデータを読み取り、ＲＡＭ２０２０を介してハードディスクドライブ２０４０に提供する。
【００７５】
また、入出力コントローラ２０８４には、ＲＯＭ２０１０と、フレキシブルディスク・ドライブ２０５０、及び入出力チップ２０７０の比較的低速な入出力装置とが接続される。ＲＯＭ２０１０は、コンピュータ１９００が起動時に実行するブート・プログラム、及び／又は、コンピュータ１９００のハードウェアに依存するプログラム等を格納する。フレキシブルディスク・ドライブ２０５０は、フレキシブルディスク２０９０からプログラム又はデータを読み取り、ＲＡＭ２０２０を介してハードディスクドライブ２０４０に提供する。入出力チップ２０７０は、フレキシブルディスク・ドライブ２０５０を入出力コントローラ２０８４へと接続すると共に、例えばパラレル・ポート、シリアル・ポート、キーボード・ポート、マウス・ポート等を介して各種の入出力装置を入出力コントローラ２０８４へと接続する。
【００７６】
ＲＡＭ２０２０を介してハードディスクドライブ２０４０に提供されるプログラムは、フレキシブルディスク２０９０、ＣＤ−ＲＯＭ２０９５、又はＩＣカード等の記録媒体に格納されて利用者によって提供される。プログラムは、記録媒体から読み出され、ＲＡＭ２０２０を介してコンピュータ１９００内のハードディスクドライブ２０４０にインストールされ、ＣＰＵ２０００において実行される。
【００７７】
コンピュータ１９００にインストールされ、コンピュータ１９００を補正装置１００として機能させるプログラムは、コンピュータ１９００に、入力された確率密度関数を累積して累積密度関数を生成させる（Ｓ１０１）。続いて、当該プログラムは、コンピュータ１９００に、生成した累積密度関数のストローブタイミング間のデータを補間させる（Ｓ１０２）。さらに、当該プログラムは、コンピュータ１９００に、累積密度関数を微分することにより補正確率密度関数を生成させる（Ｓ１０３）。
【００７８】
これらのプログラムに記述された情報処理は、コンピュータ１９００に読込まれることにより、ソフトウェアと上述した各種のハードウェア資源とが協働した具体的手段である補間部２０、補正関数生成部３０、および、累積密度関数算出部４０として機能する。そして、これらの具体的手段によって、本実施形態におけるコンピュータ１９００の使用目的に応じた情報の演算又は加工を実現することにより、使用目的に応じた特有の補正装置１００が構築される。
【００７９】
一例として、コンピュータ１９００と外部の装置等との間で通信を行う場合には、ＣＰＵ２０００は、ＲＡＭ２０２０上にロードされた通信プログラムを実行し、通信プログラムに記述された処理内容に基づいて、通信インターフェイス２０３０に対して通信処理を指示する。通信インターフェイス２０３０は、ＣＰＵ２０００の制御を受けて、ＲＡＭ２０２０、ハードディスクドライブ２０４０、フレキシブルディスク２０９０、又はＣＤ−ＲＯＭ２０９５等の記憶装置上に設けた送信バッファ領域等に記憶された送信データを読み出してネットワークへと送信し、もしくは、ネットワークから受信した受信データを記憶装置上に設けた受信バッファ領域等へと書き込む。このように、通信インターフェイス２０３０は、ＤＭＡ（ダイレクト・メモリ・アクセス）方式により記憶装置との間で送受信データを転送してもよく、これに代えて、ＣＰＵ２０００が転送元の記憶装置又は通信インターフェイス２０３０からデータを読み出し、転送先の通信インターフェイス２０３０又は記憶装置へとデータを書き込むことにより送受信データを転送してもよい。
【００８０】
また、ＣＰＵ２０００は、ハードディスクドライブ２０４０、ＣＤ−ＲＯＭドライブ２０６０（ＣＤ−ＲＯＭ２０９５）、フレキシブルディスク・ドライブ２０５０（フレキシブルディスク２０９０）等の外部記憶装置に格納されたファイルまたはデータベース等の中から、全部または必要な部分をＤＭＡ転送等によりＲＡＭ２０２０へと読み込ませ、ＲＡＭ２０２０上のデータに対して各種の処理を行う。そして、ＣＰＵ２０００は、処理を終えたデータを、ＤＭＡ転送等により外部記憶装置へと書き戻す。
【００８１】
このような処理において、ＲＡＭ２０２０は、外部記憶装置の内容を一時的に保持するものとみなせるから、本実施形態においてはＲＡＭ２０２０および外部記憶装置等をメモリ、記憶部、または記憶装置等と総称する。本実施形態における各種のプログラム、データ、テーブル、データベース等の各種の情報は、このような記憶装置上に格納されて、情報処理の対象となる。なお、ＣＰＵ２０００は、ＲＡＭ２０２０の一部をキャッシュメモリに保持し、キャッシュメモリ上で読み書きを行うこともできる。このような形態においても、キャッシュメモリはＲＡＭ２０２０の機能の一部を担うから、本実施形態においては、区別して示す場合を除き、キャッシュメモリもＲＡＭ２０２０、メモリ、及び／又は記憶装置に含まれるものとする。
【００８２】
また、ＣＰＵ２０００は、ＲＡＭ２０２０から読み出したデータに対して、プログラムの命令列により指定された、本実施形態中に記載した各種の演算、情報の加工、条件判断、情報の検索・置換等を含む各種の処理を行い、ＲＡＭ２０２０へと書き戻す。例えば、ＣＰＵ２０００は、条件判断を行う場合においては、本実施形態において示した各種の変数が、他の変数または定数と比較して、大きい、小さい、以上、以下、等しい等の条件を満たすかどうかを判断し、条件が成立した場合（又は不成立であった場合）に、異なる命令列へと分岐し、またはサブルーチンを呼び出す。
【００８３】
また、ＣＰＵ２０００は、記憶装置内のファイルまたはデータベース等に格納された情報を検索することができる。例えば、第１属性の属性値に対し第２属性の属性値がそれぞれ対応付けられた複数のエントリが記憶装置に格納されている場合において、ＣＰＵ２０００は、記憶装置に格納されている複数のエントリの中から第１属性の属性値が指定された条件と一致するエントリを検索し、そのエントリに格納されている第２属性の属性値を読み出すことにより、予め定められた条件を満たす第１属性に対応付けられた第２属性の属性値を得ることができる。
【００８４】
以上に示したプログラム又はモジュールは、外部の記録媒体に格納されてもよい。記録媒体としては、フレキシブルディスク２０９０、ＣＤ−ＲＯＭ２０９５の他に、ＤＶＤ又はＣＤ等の光学記録媒体、ＭＯ等の光磁気記録媒体、テープ媒体、ＩＣカード等の半導体メモリ等を用いることができる。また、専用通信ネットワーク又はインターネットに接続されたサーバシステムに設けたハードディスク又はＲＡＭ等の記憶装置を記録媒体として使用し、ネットワークを介してプログラムをコンピュータ１９００に提供してもよい。
【００８５】
以上、本発明の一側面を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、請求の範囲の記載から明らかである。
【００８６】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【００８７】
上記説明から明らかなように、本発明の一実施形態によれば、累積密度関数の値を補間して生成した補正累積密度関数に基づいて補正確率密度関数を生成する、補正装置、確率密度関数測定装置、ジッタ測定装置、ジッタ分離装置、電子デバイス、補正方法、プログラム、および、記録媒体を実現することができる。
【００８８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【００８９】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【００９０】
２０  補間部、３０  補正関数生成部、４０  累積密度関数算出部、５０  サンプリング部、６０  誤差検出部、７０  ジッタ値算出部、８０  分離部、９０  動作回路、１００  補正装置、２００  確率密度関数測定装置、３００  ジッタ測定装置、４００  ジッタ分離装置、５００  電子デバイス、１９００  コンピュータ、２０００  ＣＰＵ、２０１０  ＲＯＭ、２０２０  ＲＡＭ、２０３０  通信インターフェイス、２０４０  ハードディスクドライブ、２０５０  フレキシブルディスク・ドライブ、２０６０  ＣＤ−ＲＯＭドライブ、２０７０  入出力チップ、２０７５  グラフィック・コントローラ、２０８０  表示装置、２０８２  ホスト・コントローラ、２０８４  入出力コントローラ、２０９０  フレキシブルディスク、２０９５  ＣＤ−ＲＯＭ
【図１】
2010122748.tif 000006
【図２】
2010122748.tif 000007
【図３】
2010122748.tif 000008
【図４】
2010122748.tif 000009
【図５】
2010122748.tif 000010
【図６】
2010122748.tif 000011
【図７】
2010122748.tif 000012
【図８】
2010122748.tif 000013
【図９】
2010122748.tif 000014
【図１０】
2010122748.tif 000015
【図１１】
2010122748.tif 000016
【国際調査報告】
2010122748.tif 000017
2010122748.tif 000018
2010122748.tif 000019
2010122748.tif 000020